(57)【要約】【課題】寸法精度を要求することなく、且つ簡易な構成によって、上カバーを閉じた際に、ロールシートホルダを安定して押さえることが可能なテープ印刷装置を提供する。【解決手段】上カバー５を構成する右側カバー部材５Ｄのホルダ支持部材１５に対向する内側側面部には、この上カバー５を閉じた場合に、取付部材１３の上端面に対向する位置に、水平方向全幅に渡って補強リブ６３が立設されている。また、このこの補強リブ６３の取付部材１３の上端面に対向する位置には、所定幅の薄い平板状のホルダ押さえ部６５が内側方向に水平に延出されている。そして、上カバー５を閉じた場合には、この上カバー５の右側カバー部材５Ｄに設けられたホルダ押さえ部６５の先端下面が、ホルダ支持部材１５に嵌入された位置決め保持部材１２の外側に突設される取付部材１３の上端面に当接して、上下方向に撓む。【選択図】図８
2008068561.tif 000002
【特許請求の範囲】
【請求項１】
本体筐体内に長尺状のロールシートが巻回されるロールシートホルダを着脱可能な状態で支持する支持機構と、前記本体筐体の後側上端縁部に開閉自在に取り付けられて前記ロールシートホルダの上側を覆う上カバーと、を備えたテープ印刷装置において、
前記支持機構は、
前記ロールシートが挿入される挿入口の幅方向一側に対向して底面部の一側側端縁    部に立設される位置決め支持部材と、
前記位置決め支持部材に設けられて幅方向上方に開口すると共に幅方向両側に開口    する位置決め溝部と、
を有し、
前記ロールシートホルダは、
前記ロールシートの一方の端面に当接される基準側保持部材と、
前記基準側保持部材の外側面の左右方向略中央部に上下方向縦長に突設されて、こ    のロールシートホルダを装着する際に、前記位置決め溝部に嵌入されることにより該    ロールシートホルダをテープ印刷装置に対して位置決めする位置決めリブ部と、
を有し、
前記上カバーは、前記位置決め支持部材に対向する内側側面部から内側方向に突設されたホルダ押さえ部を有し、
該上カバーを閉じた場合に、前記ホルダ押さえ部の下端面が前記位置決め支持部材に嵌入された前記位置決めリブ部の上端部に当接することを特徴とするテープ印刷装置。
【請求項２】
前記ホルダ押さえ部は、所定幅の平板状に形成されて厚さ方向の一側端面が前記位置決めリブ部の上端部に当接することを特徴とする請求項１に記載のテープ印刷装置。
【請求項３】
前記位置決め支持部材のロールシートホルダ側基端部の底面部に配置されたシート判別センサを備え、
前記ロールシートホルダは、
前記基準側保持部材の下端縁部からロールシートの外周面に対向するように所定長    さ延出されるシート判別部と、
前記シート判別部に形成されて前記シート判別センサと協働してロールシートの種    類を特定するロールシート特定部と、
を有し、
前記位置決めリブ部を前記位置決め溝部に嵌入した場合に、前記シート判別センサを介して前記ロールシート特定部を検出可能になることを特徴とする請求項１又は請求項２に記載のテープ印刷装置。
【発明の詳細な説明】
【技術分野】
【０００１】
本発明は、本体筐体内に長尺状のロールシートが巻回されるロールシートホルダが着脱可能な状態で支持されるテープ印刷装置に関するものである。
【背景技術】
【０００２】
従来より、本体筐体内に着脱可能な状態で支持されたロールシートホルダやテープカセットを蓋体を閉じることによって、押さえる押さえ部が設けられたテープ印刷装置が種々提案されている。
例えば、合成樹脂製の蓋体の内側に長さが長い一対の押さえ部としての押圧体を下向きに突設し、この蓋体を閉じることによって、各押圧体の下端部がテープカセットに当接して、該テープカセットを水平状態に支持するように構成されたテープ印刷装置がある（例えば、特許文献１参照。）。
【特許文献１】特開２００６−５６２６３号公報（段落（００２５）〜（００３０）、図４、図８〜図１４）
【発明の開示】
【発明が解決しようとする課題】
【０００３】
しかしながら、上述した特許文献１に記載される構成では、各押圧体は、厳しい寸法精度が必要になり、製造コストアップになるという問題がある。また、各押圧体をバネで付勢して蓋体側方向に引っ込むように構成した場合には、構造が複雑になり、部品点数が増加するという問題がある。
【０００４】
そこで、本発明は、上述した問題点を解決するためになされたものであり、寸法精度を要求することなく、且つ簡易な構成によって、上カバーを閉じた際に、ロールシートホルダを安定して押さえることが可能なテープ印刷装置を提供することを目的とする。
【課題を解決するための手段】
【０００５】
前記目的を達成するため請求項１に係るテープ印刷装置は、本体筐体内に長尺状のロールシートが巻回されるロールシートホルダを着脱可能な状態で支持する支持機構と、前記本体筐体の後側上端縁部に開閉自在に取り付けられて前記ロールシートホルダの上側を覆う上カバーと、を備えたテープ印刷装置において、前記支持機構は、前記ロールシートが挿入される挿入口の幅方向一側に対向して底面部の一側側端縁部に立設される位置決め支持部材と、前記位置決め支持部材に設けられて幅方向上方に開口すると共に幅方向両側に開口する位置決め溝部と、を有し、前記ロールシートホルダは、前記ロールシートの一方の端面に当接される基準側保持部材と、前記基準側保持部材の外側面の左右方向略中央部に上下方向縦長に突設されて、このロールシートホルダを装着する際に、前記位置決め溝部に嵌入されることにより該ロールシートホルダをテープ印刷装置に対して位置決めする位置決めリブ部と、を有し、前記上カバーは、前記位置決め支持部材に対向する内側側面部から内側方向に突設されたホルダ押さえ部を有し、該上カバーを閉じた場合に、前記ホルダ押さえ部の下端面が前記位置決め支持部材に嵌入された前記位置決めリブ部の上端部に当接することを特徴とする。
【０００６】
また、請求項２に係るテープ印刷装置は、請求項１に記載のテープ印刷装置において、前記ホルダ押さえ部は、所定幅の平板状に形成されて厚さ方向の一側端面が前記位置決めリブ部の上端部に当接することを特徴とする。
【０００７】
更に、請求項３に係るテープ印刷装置は、請求項１又は請求項２に記載のテープ印刷装置において、前記位置決め支持部材のロールシートホルダ側基端部の底面部に配置されたシート判別センサを備え、前記ロールシートホルダは、前記基準側保持部材の下端縁部からロールシートの外周面に対向するように所定長さ延出されるシート判別部と、前記シート判別部に形成されて前記シート判別センサと協働してロールシートの種類を特定するロールシート特定部と、を有し、前記位置決めリブ部を前記位置決め溝部に嵌入した場合に、前記シート判別センサを介して前記ロールシート特定部を検出可能になることを特徴とする。
【発明の効果】
【０００８】
請求項１に係るテープ印刷装置では、長尺状のロールシートが巻回されるロールシートホルダは、基準保持部材の外側端面部に突設される位置決めリブ部を、テープ印刷装置の底面部の一側側端縁部に立設される位置決め支持部材に設けられて上方に開口する位置決め溝部に位置合わせして嵌入することによって、テープ印刷装置に対して位置決めされて、該ロールシートホルダがテープ印刷装置内に着脱可能に支持される。また、上カバーの位置決め支持部材に対向する内側側面部から内側方向にホルダ押さえ部が突設されている。そして、上カバーを閉じた場合には、この上カバーに設けられたホルダ押さえ部の下端面が、位置決め支持部材に嵌入された位置決めリブ部の上端部に当接する。
【０００９】
これにより、種々の幅寸法のロールシートが巻回されるロールシートをテープ印刷装置内に装着した場合に、いずれの場合も、上カバーに設けられたホルダ押さえ部が位置決め支持部材に嵌入された位置決めリブ部の上端部に当接するため、ロールシートホルダをホルダ押さえ部を介して安定して押さえることが可能となり、ロールシートの引き出し時における、ロールシートホルダの浮き上がりやガタツキ等を確実に防止することが可能となる。
また、ホルダ押さえ部は、上カバーの位置決め支持部材に対向する内側側面部から内側方向に突設されているため、ロールシートホルダの位置決めリブ部の上端部に当接した場合には、先端部が上下方向に撓んで変形可能となり、該ホルダ押さえ部を位置決めリブに当接させるためのバネ等の付勢部材を必要とすることなく、簡易な構成でロールシートホルダをホルダ押さえ部を介して安定して押さえることが可能となる。
【００１０】
また、請求項２に係るテープ印刷装置では、ホルダ押さえ部は、所定幅の平板状に形成されて厚さ方向の一側端面が、ロールシートホルダの位置決めリブ部の上端部に当接するため、更に簡易な構成にすることができると共に、寸法精度を低くしても、上カバーを閉じた際に、小さな押圧力で先端部が上下方向に撓んでロールシートホルダを確実に安定して押さえることが可能となる。
【００１１】
更に、請求項３に係るテープ印刷装置では、ロールシートホルダの基準側保持部材の外側端面部に突設される位置決めリブ部を、位置決め溝部に位置合わせして嵌入した場合には、この位置決め支持部材のロールシートホルダ側基端部の底面部に配置されたシート判別センサを介して、基準側保持部材の下端縁部からロールシートの外周面に対向するように延出されるシート判別部に形成されたロールシート特定部を検出して、ロールシートの種類を特定することが可能になる。
【００１２】
これにより、ロールシートホルダの位置決めリブ部を、位置決め溝部に位置合わせして嵌入後、上カバーを閉じることによって、該位置決めリブ部の上端部を上カバーに設けられたホルダ押さえ部で安定して押下することが可能なため、ロールシートの引き出し時における、基準側保持部材の下端縁部に設けられるシート判別部に形成されたロールシート特定部のシート判別センサからの浮き上がりやガタツキを確実に防止して、ロールシートの種類を正確に特定することが可能となる。
【発明を実施するための最良の形態】
【００１３】
以下、本発明に係るテープ印刷装置について、本発明を具体化した一実施例に基づき図面を参照しつつ詳細に説明する。
【実施例】
【００１４】
先ず、本実施例に係るロールシートホルダが装着されるテープ印刷装置の概略構成について図１乃至図６に基づき説明する。
図１乃至図６に示すように、テープ印刷装置１は、本体筐体２と、所定幅の無定長ロールシート３Ａ（以下、「ロールシート３Ａ」という。）が巻回されたロールシートホルダ３がロールシートホルダ収納部４に収納され、後側上端縁部に開閉自在に取り付けられた樹脂製の上カバー５によって上部が覆われる。また、この上カバー５の上面部には透明樹脂製の透視窓５Ａが形成されており、ホルダー収納部４に装着されたロールシート３Ａを確認できるように構成されている。
また、上カバー５の前側の一方の側端部（図１中、右端縁部）には、電源ボタン７Ａ、押下している間ロールシート３Ａを搬送方向に排出するフィードボタン７Ｂ、押下することによってフロントカバー６で覆われるカッタユニット８を駆動させてロールシート３Ａを切断するカットボタン７Ｃ等から構成されている。また、フロントカバー６には、印刷されたロールシート３Ａを外部に排出するシート排出口６Ａが形成されている。
【００１５】
また、本体筐体２の背面部には一方の側端部に不図示の電源コードが接続されるインレット９が配設されると共に、その横側に不図示の送風ファンが配置されている。また、他方の側端部には不図示のパーソナルコンピュータ等と接続されるＵＳＢ（Universal Serial Bus）コネクタ１０や接続コネクタ１１が設けられている。
【００１６】
ここで、図５に示すように、このロールシート３Ａは、自己発色性を有する長尺状の感熱シート（いわゆる、サーマルペーパー）３Ｃと、この感熱シート３Ｃの裏面側に粘着剤層３Ｄを介して剥離紙３Ｅが張り合わされて構成され、感熱シート３Ｃの印刷面が内側になるように巻回されている。
【００１７】
また、図３、図４及び図６に示すように、テープ印刷装置１は、ロールシートホルダ収納部４の搬送方向に対して略垂直方向の一方の側端縁部（図３中、右側側端縁部）に、ロールシートホルダ３を構成する位置決め保持部材１２の外側方向に突設される断面略矩形状の取付部材１３を嵌め込むことができるホルダ支持部材１５が設けられている。このホルダ支持部材１５には、幅方向上方に開口すると共に幅方向両側に開口する正面視略縦長コの字状の第１位置決め溝部１６が形成されている。
【００１８】
また、ロールシート３Ａを挿入する挿入口１８の後端縁部からロールシートホルダ収納部４の前側上端縁部まで略水平に延出されて、後述のロールシートホルダ３を構成するガイド部材２０の先端部が載置される載置部２１が設けられている。また、この載置部２１の搬送方向後側の端縁角部には、ロールシート３Ａの複数の幅寸法に対応して断面略Ｌ字状の７個の第２位置決め溝部２２Ａ〜２２Ｇが形成されている。この各第２位置決め溝部２２Ａ〜２２Ｇは、図５に示すように、ロールシートホルダ３を構成するガイド部材２０の載置部２１に当接する先端下端部分を上方から嵌め込むことができるように形成されている。
【００１９】
また、ロールシートホルダ収納部４の底面部には、ホルダ支持部材１５の内側基端部から対向する側面部基端部まで搬送方向に対して略垂直に平面視横長四角形の位置決め凹部４Ａが所定深さ（本実施例では、約１．５〜３ｍｍの深さである。）で形成されている。この位置決め凹部４Ａの搬送方向幅寸法は、ロールシートホルダ３を構成する位置決め保持部材１２及びガイド部材２０の各下端縁部の幅寸法にほぼ等しくなるように形成されている。また、位置決め凹部４Ａのホルダ支持部材１５の内側基端部には、位置決め保持部材１２の下端縁部から略直角内側方向に延出される後述のシート判別部６０（図７参照）に対向する部分が、位置決め凹部４Ａよりもさらに所定深さ（本実施例では、約１．５〜３ｍｍの深さである。）だけ深くなるように形成された搬送方向に縦長の平面視長四角形の判別凹部４Ｂが形成されている。
【００２０】
また、この判別凹部４Ｂには、プッシュ式のマイクロスイッチ等から構成されて、ロールシート３Ａの種別、感熱シート３Ｃの材質、ロールシート幅等を判別するための６個のシート判別センサＰ１、Ｐ２、Ｐ３、Ｐ４、Ｐ５、Ｐ６がＬ字状に設けられている。尚、図６には、５個の各シート判別センサＰ１〜Ｐ５が示されている。
この各シート判別センサＰ１〜Ｐ６は、プランジャーとマイクロスイッチ等から構成される公知の機械式スイッチからなり、該各プランジャーの上端部は、該判別凹部４Ｂの底面部から位置決め凹部４Ａの底面部近傍まで突き出るように設けられている。そして、この各シート判別センサＰ１〜Ｐ６に対して位置決め保持部材１２の下端縁部から略直角内側方向に延出されるシート判別部６０に形成される後述の各センサ孔６０Ａ〜６０Ｆ（図７参照）が有るか否かを検出して、そのオン・オフ信号によりロールシートホルダ３に装着されたロールシート３Ａの種別、感熱シート３Ｃの材質、ロールシート幅等を検出するものである。
【００２１】
尚、本実施例の場合は、各シート判別センサＰ１〜Ｐ６は、そのプランジャーが常には、判別凹部４Ｂの底面から位置決め凹部４Ａの底面部近傍まで突き出しており、マイクロスイッチがオフ状態になっている。そして、シート判別部６０の各センサ孔６０Ａ〜６０Ｆが、各シート判別センサＰ１〜Ｐ６に対向する位置に有る場合には、プランジャーが押下されずマイクロスイッチがオフ状態にあるので、オフ信号が出力され、一方、シート判別部６０の各センサ孔６０Ａ〜６０Ｆが、各シート判別センサＰ１〜Ｐ６に対向する位置に無い場合には、プランジャーが押下されてマイクロスイッチがオン状態になるので、オン信号が出力される。従って、各シート判別センサＰ１〜Ｐ６によって６ビットの「０」、「１」信号が出力され、各シート判別センサＰ１〜Ｐ６が全てオフ状態の場合、即ち、ロールシートホルダ３が装着されていない場合には、６ビットの「００００００」の信号が出力される。
【００２２】
また、挿入口１８のホルダー支持部材１５側の側端縁部（図３中、右端縁部）は、該ホルダー支持部材１５に嵌め込まれる位置決め部材１２の内側端面に対向する位置に形成されている。また、この挿入口１８のホルダー支持部材１５側の側端縁部には、載置部２１のほぼ搬送方向後端部まで立設された案内壁面を形成すると共に、ロールシート３Ａの上面部を覆うように幅方向に所定幅延出された案内部２３が形成され、ロールシート３Ａが挿通されている。
【００２３】
また、上カバー５の前端部下側には、プラテンローラ２６が回転自在に軸支されている。また、サーマルヘッド３１は押圧バネ２４によって上方に付勢されているヘッド支持部材３２の上面に固定されている。また、このヘッド支持部材３２の搬送方向に対して後側の端縁部は、フレーム３３の背面部によって上下方向に揺動可能に支持されている。また、このヘッド支持部材３２の搬送方向前側の端縁部中央において、外側方向に延出される所定幅（本実施例では、約１５ｍｍである。）のガイド部３４は、フレーム３３の前面部に穿設されるガイド孔３５に嵌入され、上下方向に移動可能に構成されている。
【００２４】
そして、上カバー５を閉じることによって、プラテンローラ２６は押圧バネ２４によって上方に付勢されているサーマルヘッド３１にロールシート３Ａを押圧付勢して印字可能な状態になる。また、上カバー５を閉じることによって、プラテンローラ２６のローラ軸２６Ａの両端部の外周に回転可能に嵌挿された各カラー部材２５、２５が、搬送方向後側に付勢された側面視略逆Ｌ字状の各爪部２８、２８に係止される。また、ローラ軸２６Ａのホルダ支持部材１５側の端縁部には、ギヤ２６Ｂが固設され、上カバー５を閉じた際に、不図示のギヤ列に歯合し、プラテンローラ２６をステッピングモータ等で構成される不図示のシート送りモータにより回転駆動可能な状態になる。
【００２５】
また、本体筐体２の左右側壁部に設けられた各解除摘み２７、２７を上方に押し上げることによって、各係止爪２８、２８が付勢力に抗して搬送方向前側に回動され、各カラー部材２５との係止が解除される。これにより、プラテンローラ２６がサーマルヘッド３１によって上方に付勢されて、上カバー５が上方に少し持ち上げられ、開放可能な状態になる。
また、ロールシートホルダ収納部４の下側には、外部のパーソナルコンピュータ等からの指令により各機構部を駆動制御する制御回路部が形成されると共に各シート判別センサＰ１〜Ｐ６が配設された制御基板３６が設けられている（図８参照）。また、フレーム３３の下方には、電源回路部が形成された電源基板３７が設けられている。そして、制御基板３６及び電源基板３７は、底面部にネジ止めされた薄い鋼板製（本実施例では、厚さ約０．５ｍｍのＳＰＣＣ等の鋼板製である。）の底面カバー３８によって覆われている。
【００２６】
次に、ロールシートホルダ３の概略構成について図７及び図８に基づいて説明する。
図７及び図８に示すように、巻芯３Ｂに巻回されたロールシート３Ａが装着されるロールシートホルダ３は、下記のように構成されている。即ち、ロールシート３Ａの巻芯３Ｂの筒孔の一端側端縁部にガイド部材２０の内側面に立設される第１筒部２０Ａが嵌挿されて、該ガイド部材２０の内側面にロールシート３Ａの一方の端面が当接されている。また、ロールシート３Ａの巻芯３Ｂの筒孔の他端側端縁部に位置決め保持部材１２の内側面に立設される第２筒部１２Ａが嵌挿されて、該位置決め保持部材１２の内側面にロールシート３Ａの他方の端面が当接されている。そして、このガイド部材２０の第１筒部２０Ａに嵌挿されて一端側端面の外周部に形成されるフランジ部４０Ａが該第１筒部２０Ａの外側端面、即ちガイド部材２０の外側端面に固着されると共に、他端側端部が位置決め保持部材１２の第２筒部１２Ａ内に嵌挿されて該第２筒部１２Ａに固着される略筒状のホルダ軸部材４０を備えている。従って、ホルダ軸部材４０の長さ寸法を変更することにより、異なる幅寸法のロールシート３Ａが装着された複数種類のロールシートホルダ３を容易に製作することができる。
【００２７】
また、このガイド部材２０は、第１筒部２０Ａの外側端面の下側外周部から下側方向に延出されて、ロールシートホルダ収納部４の底面部に形成される位置決め凹部４Ａに嵌入されて該位置決め凹部４Ａの底面に当接される第１延出部４２が形成されている。また、ガイド部材２０は、ロールシート３Ａの前側方向略１／４円周上の外側端面部を覆うように外側方向に延出される第２延出部４３が形成されている。また、この第２延出部４３の外周部から載置部２１まで上側端縁部が前下がり状に延出される第３延出部４４が形成されている。この第３延出部４４の下端面は略水平に形成され、先端側下端部４５は、装着されたロールシート３Ａのシート幅に対向する各第２位置決め溝部２２Ａ〜２２Ｇのいずれかに嵌入されるように構成されている（図３、図４参照）。また、この第３延出部４４の内側面によって装着されたロールシート３Ａの一側端縁部を挿入口１８まで案内するように構成されている（図４参照）。
【００２８】
また、ガイド部材２０の内側面に立設された第１筒部２０Ａと位置決め保持部材１２の内側面に立設された第２筒部１２Ａとによって、ロールシート３Ａが巻回された巻芯３Ｂが回転可能に保持される。尚、ホルダ軸部材４０は、ロールシート３Ａの巻芯３Ｂの各長さ寸法に対応して複数種類（本実施例では、７種類である。）の長さ寸法のものが設けられている。
また、位置決め部材１２の外側端面部の搬送方向（図９（Ｂ）中、左右方向）略中央部に、即ち、ホルダ軸部材４０の軸心の端縁部から該軸心に対してほぼ直交するように、上下方向に縦長の断面略矩形状の取付部材１３が突設されている。この取付部材１３は、正面視下方向（図９（Ｂ）中、上方向）に幅狭になるように形成され、テープ印刷装置１のホルダ支持部材１５の下方向に幅狭な第１位置決め溝部１６内に密着可能に形成されている。また、この取付部材１３の突出高さ寸法は、この第１位置決め溝部１６の幅寸法にほぼ等しく形成されている。
【００２９】
また、位置決め部材１２の取付部材１３の下端部には、該取付部材１３の下端部よりも左右方向に各々外側方向に所定長さ（本実施例では、約１．５ｍｍ〜３ｍｍである。）突出する正面視略四角形の平板状（本実施例では、約１．５ｍｍ〜３ｍｍの厚さ寸法である。）の案内部５７が形成されている。これにより、ロールシートホルダ３を装着する場合は、取付部材１３の下端部に形成される案内部５７をホルダ支持部材１５の外側端面に当接させつつ、取付部材１３を第１位置決め溝部１６に挿入することによって、該ロールシートホルダ３を容易に位置決めしつつ装着することができる。
また、位置決め部材１２の延出部５６の下端縁部は、ガイド部材２０の下端縁部よりも所定長さ（本実施例では、約１ｍｍ〜２．５ｍｍである。）下側方向に突出するように延出されると共に、該下端縁部には、略直角内側方向に所定長さ延出される略長四角形のシート判別部６０が形成されている。
【００３０】
また、図９（Ｂ）に示すように、このシート判別部６０には、上述したように、各シート判別センサＳＰ〜Ｐ６に対向する所定位置に各センサ孔６０Ａ〜６０Ｆが略Ｌ字状に配置されて穿設される。尚、図９（Ｂ）中、各センサ孔６０Ａ〜６０Ｆのうちの各センサ孔６０Ａ〜６０Ｄ、６０Ｆが、シート判別部６０に穿設された状態を示している。
これにより、各センサ孔６０Ａ〜６０Ｆは、６個のうちの最大５個穿設されるため、１つひとつの有無を「１」と「０」に対応させることにより、該ロールシートホルダ３に装着されたロールシート３Ａの種別、感熱シートの材質、ロールシート幅等を「０００００１」〜「１１１１１１」の６ビットの符号によって表示することができる。尚、「００００００」の６ビットの符号は、ロールシートホルダ３が装着されていないことを表している。
【００３１】
次に、上カバー５に設けられてロールシートホルダ３を押さえるホルダ押さえ部について図３、図４、図６及び図８に基づいて説明する。
図３、図４及び図８に示すように、上カバー５は、上カバー本体５Ｂと、この上カバー本体５Ｂの左右にネジ止め等によって固着される略円形状の左側カバー部材５Ｃと、右側カバー部材５Ｄとから構成されている。
【００３２】
また、左側カバー部材５Ｃと右側カバー部材５Ｄの内側面には、上カバー５を閉じた際に、ロールシートホルダ収納部４内に装着されたロールシートホルダ３の取付部材１３の上端面に対向する位置に各補強リブ６２、６３が、水平にほぼ全幅に渡って立設されている。
また、右側カバー部材５Ｄの内側面に立設される補強リブ６３の取付部材１３の上端面に対向する位置には、所定幅（本実施例では、取付部材１３の幅寸法の約１．５倍で、約１２ｍｍの幅である。）の薄い平板状（本実施例では、厚さ約１ｍｍの平板状である。）のホルダ押さえ部６５が内側方向に水平に延出されている。このホルダ押さえ部６５は、上カバー５を閉じた際に、先端下面部が取付部材１３の上端面に当接し、且つ位置決め保持部材１２には当接しないように内側方向に延出されている。
【００３３】
これにより、巻芯に巻回されたロールシート３Ａが装着されたロールシートホルダ３は、位置決め部材１２の取付部材１３をホルダ支持部材１５の第１位置決め溝部１６に嵌め込むと共に、ガイド部材２０の先端下端部を各第２位置決め溝部２２Ａ〜２２Ｇのいずれかに嵌め込んで該ガイド部材２０の下端部を位置決め凹部４Ａ内に嵌入して当接させることによって、ロールシートホルダ収納部４に着脱自在に取り付けられる。また、位置決め部材１２の内側下端縁部に設けられたシート判別部６０が判別凹部４Ｂ内に挿入され、判別凹部４Ｂに配設される各シート判別センサＰ１〜Ｐ６に対向する該シート判別部６０の各センサ孔６０Ａ〜６０Ｆが有るか否か検出可能となる。即ち、ロールシートホルダ３に装着されたロールシート３Ａの種別などを検出可能となる。
【００３４】
そして、ロールシート３Ａの一方の側端縁部をガイド部材２０の内側面に当接させつつ、このロールシート３Ａの他方の側端縁部を挿入口１８の側縁部に設けられた案内部２３に当接させながら挿入口１８内に挿入して、上カバー５を閉じることによって、図５に示すように、押圧バネ２４によって上方に付勢されているライン型のサーマルヘッド３１にロールシート３Ａを押圧付勢して印字可能な状態になる。また、図８に示すように、上カバー５を閉じることによって、右側カバー部材５Ｄの内側に延出されるホルダ押さえ部６５の下面が、取付部材１３の上端面に当接され、ロールシートホルダ３の位置決め保持部材１２が下方に押下される。
【００３５】
その後、該プラテンローラ２６をステッピングモータ等で構成される不図示のシート送りモータにより回転駆動しつつ、該サーマルヘッド３１を駆動制御することによって、ロールシート３Ａを搬送しながら感熱シート３Ｃの印刷面に順次画像データを印刷できる。そして、印字済みロールシート３Ａの搬送方向後ろ側の切断位置が、カッターユニット８の固定刃４１に対向する位置まで搬送された場合には、カッターユニット８の正面視Ｖ字形の可動刃４２がＤＣモータ等で構成される切断用モータ４３（図６参照）により上下方向に往復移動して固定刃４１と可動刃４２とによって切断され、シート排出口６Ａから排出される。
【００３６】
ここで、ホルダ支持部材１５は、位置決め支持部材として機能する。また、第１位置決め溝部１６は、位置決め溝部として機能する。また、位置決め保持部材１２は、基準側保持部材として機能する。また、取付部材１３は、位置決めリブ部として機能する。また、各センサ孔６０Ａ〜６０Ｆは、ロールシート特定部を構成する。
【００３７】
従って、本実施例に係るテープ印刷装置１では、ロールシート３Ａが巻回されるロールシートホルダ３は、位置決め保持部材１２の外側端面部に突設される取付部材１３を、テープ印刷装置１のホルダ支持部材１５に設けられて上方に開口する第１位置決め溝部１６に位置合わせして嵌入することによって、テープ印刷装置１に対して位置決めされて、該ロールシートホルダ３がテープ印刷装置１内に着脱可能に支持される。また、上カバー５の右側カバー部材５Ｄのホルダ支持部材１５に対向する内側側面部には、この上カバー５を閉じた場合に、取付部材１３の上端面に対向する位置には、水平方向全幅に渡って補強リブ６３が立設されている。また、この補強リブ６３の取付部材１３の上端面に対向する位置には、所定幅の薄い平板状のホルダ押さえ部６５が内側方向に水平に延出されている。そして、上カバー５を閉じた場合には、この上カバー５の右側カバー部材５Ｄに設けられたホルダ押さえ部６５の先端下面が、ホルダ支持部材１５に嵌入された位置決め保持部材１２の外側に突設される取付部材１３の上端面に当接して、上下方向に撓む。
【００３８】
これにより、種々の幅寸法のロールシート３Ａが巻回されるロールシート３をテープ印刷装置１内に装着した場合に、いずれの場合も、上カバー５に設けられたホルダ押さえ部６５がホルダ支持部材１５に嵌入された位置決め保持部材１２の外側に突設される取付部材１３の上端部に当接するため、ロールシートホルダ３をホルダ押さえ部６５を介して安定して押さえることが可能となり、ロールシート３Ａの引き出し時における、ロールシートホルダ３の浮き上がりやガタツキ等を確実に防止することが可能となる。
【００３９】
また、ホルダ押さえ部６５は、上カバー５の位置決め保持部材１２の外側に突設される取付部材１３の上端部に対向する内側側面部から、内側方向に所定幅の平板状に形成されて突設されているため、ロールシートホルダ３の位置決め保持部材１２の外側に突設される取付部材１３の上端部に当接した場合には、小さな押圧力で先端部が上下方向に撓んで変形可能となり、該ホルダ押さえ部６５を取付部材１３の上端部に当接させるためのバネ等の付勢部材を必要とすることなく、また、ホルダ押さえ部６５の寸法精度を低くしても、ホルダ押さえ部６５を介して簡易な構成でロールシートホルダ３を確実に安定して押さえることが可能となる。
【００４０】
また、ロールシートホルダ３の位置決め保持部材１２を、第１位置決め溝部１６に位置合わせして嵌入後、上カバー５を閉じることによって、該位置決め保持部材１２の外側に突設される取付部材１３の上端部を上カバー５の右側カバー部材５Ｄの内側面に突設されたホルダ押さえ部６５で安定して押下することが可能なため、ロールシート３Ａの引き出し時における、位置決め保持部材１２の下端縁部に設けられるシート判別部６０に形成された各センサ孔６０Ａ〜６０Ｆの各シート判別センサＰ１〜Ｐ６からの浮き上がりやガタツキを確実に防止して、ロールシート３Ａの種類を正確に特定することが可能となる。
【００４１】
尚、本発明は前記実施例に限定されることはなく、本発明の要旨を逸脱しない範囲内で種々の改良、変形が可能であることは勿論である。
【図面の簡単な説明】
【００４２】
【図１】本実施例に係るテープ印刷装置の前側からの外観斜視図である。
【図２】テープ印刷装置の後側からの外観斜視図である。
【図３】テープ印刷装置にロールシートホルダが装着された状態を上カバーを開けて示す右側上方からの斜視図である。
【図４】テープ印刷装置にロールシートホルダが装着された状態を上カバーを開けて示す左側上方からの斜視図である。
【図５】ロールシートホルダをテープ印刷装置に装着した状態を示す側断面図である。
【図６】テープ印刷装置の上カバーを開けて、フロントカバーを取り外した状態を前側上方から見た概略斜視図である。
【図７】ロールシートが装着されたロールシートホルダの一例を示す図で、（Ａ）は上方からの斜視図、（Ｂ）は下方からの斜視図である。
【図８】図５のＸ１−Ｘ１矢視断面図である。
【符号の説明】
【００４３】
１              テープ印刷装置
２              本体筐体
３              ロールシートホルダ
３Ａ            無定長ロールシート
４              ロールシートホルダ収納部
４Ａ            位置決め凹部
４Ｂ            判別凹部
５              上カバー
５Ｂ            上カバー本体
５Ｃ            左側カバー部材
５Ｄ            右側カバー部材
１２            位置決め保持部材
１３            取付部材
１５            ホルダ支持部材
１６            第１位置決め溝部
１８            挿入口
５６            延出部
６０            シート判別部
６０Ａ〜６０Ｆ        センサ孔
６２、６３      補強リブ
６５            ホルダ押さえ部
Ｐ１〜Ｐ６      シート判別センサ
【図１】
2008068561.tif 000003
【図２】
2008068561.tif 000004
【図３】
2008068561.tif 000005
【図４】
2008068561.tif 000006
【図５】
2008068561.tif 000007
【図６】
2008068561.tif 000008
【図７】
2008068561.tif 000009
【図８】
2008068561.tif 000010